(57)【要約】【課題】ファンをワイヤーに近づけて配置するときにワイヤーのファンへの巻き込みを防止する。【解決手段】装置本体の内部の空気を装置本体の外部にルーバを介して排出するファンを保持するための保持部と、ワイヤーを覆う覆い部とを備え装置本体に固定されるファン支持構造であって、覆い部は、装置本体の上方に立ち上がりファンの保持部への取り付け位置に干渉しない高さで保持部に曲げ起こして、保持部の下端部近傍にファンの空気流通方向に突出する庇形状に形成されている。【選択図】図６
2019040016.tif 000002
【特許請求の範囲】
【請求項１】
装置本体の内部の空気を装置本体の外部にルーバを介して排出するファンを保持するための保持部と、ワイヤーを覆う覆い部とを備え装置本体に固定されるファン支持構造であって、
前記覆い部は、前記保持部の下端部近傍に前記ファンの空気流通方向に突出する庇形状に形成されている、
ことを特徴とするファン支持構造。
【請求項２】
前記覆い部は、前記装置本体の上方に立ち上がり前記ファンの前記保持部への取り付け位置に干渉しない高さで前記保持部に曲げ起こして形成されている、
ことを特徴とする請求項１に記載のファン支持構造。
【請求項３】
前記覆い部は、前記ファンの空気流通方向に貫通する通気孔が形成されている、
ことを特徴とする請求項１又は２に記載のファン支持構造。
【請求項４】
前記通気孔は、前記覆い部の幅方向に亘ってスリット状に複数形成されている、
ことを特徴とする請求項３に記載のファン支持構造。
【請求項５】
前記覆い部は、前記ファンの高さ方向における位置を位置決めして前記ファンの下端部を支持する高さに形成されている、
ことを特徴とする請求項１ないし４のいずれか１項に記載のファン支持構造。
【請求項６】
前記覆い部は、前記ファンの下端部を支持する面に前記ファンの下端部と接触する弾性シート材を有する、
ことを特徴とする請求項５に記載のファン支持構造。
【請求項７】
前記ファン支持構造は、前記ルーバとの間隙が前記ワイヤーとの間隙よりも広くなるように前記装置本体に固定されている、
ことを特徴とする請求項１ないし６のいずれか１項に記載のファン支持構造。
【請求項８】
請求項１ないし７のいずれか１項に記載のファン支持構造を備えた、
ことを特徴とする画像形成装置。
【発明の詳細な説明】
【技術分野】
【０００１】
本発明は、ファン支持構造及び画像形成装置に関する。
【背景技術】
【０００２】
ファンと、このファンを回転駆動する駆動手段と、ファンによる風の排気口と、排気口にルーバを有し、ファンはその回転軸をルーバに対して傾斜させて設置されている冷却装置が知られている（特許文献１）。
【０００３】
装置の外面に設けられる開口部と、装置内部への吸気、又は、装置外部への排気を行うためのファンと、一端が開口部に面して配され、他端がファンに接続され、その長さ及び形状が可変であるダクトと、開口部から漏れ出す騒音を変化させるため、開口部におけるダクトの一端の位置を移動させる移動機構を有する画像形成装置も知られている（特許文献２）。
【先行技術文献】
【特許文献】
【０００４】
【特許文献１】特開２０００−３２３８８３号公報
【特許文献２】特開２００９−８６１００号公報
【発明の概要】
【発明が解決しようとする課題】
【０００５】
本発明は、ファンをワイヤーに近づけて配置するときにワイヤーのファンへの巻き込みを防止することを目的とする。
【課題を解決するための手段】
【０００６】
前記課題を解決するために、請求項１に記載のファン支持構造は、
装置本体の内部の空気を装置本体の外部にルーバを介して排出するファンを保持するための保持部と、ワイヤーを覆う覆い部とを備え装置本体に固定されるファン支持構造であって、
前記覆い部は、前記保持部の下端部近傍に前記ファンの空気流通方向に突出する庇形状に形成されている、
ことを特徴とする。
【０００７】
請求項２記載の発明は、請求項１に記載のファン支持構造において、
前記覆い部は、前記装置本体の上方に立ち上がり前記ファンの前記保持部への取り付け位置に干渉しない高さで前記保持部に曲げ起こして形成されている、
ことを特徴とする。
【０００８】
請求項３記載の発明は、請求項１又は２に記載のファン支持構造において、
前記覆い部は、前記ファンの空気流通方向に貫通する通気孔が形成されている、
ことを特徴とする。
【０００９】
請求項４記載の発明は、請求項３に記載のファン支持構造において、
前記通気孔は、前記覆い部の幅方向に亘ってスリット状に複数形成されている、
ことを特徴とする。
【００１０】
請求項５記載の発明は、請求項１ないし４のいずれか１項に記載のファン支持構造において、
前記覆い部は、前記ファンの高さ方向における位置を位置決めして前記ファンの下端部を支持する高さに形成されている、
ことを特徴とする。
【００１１】
請求項６記載の発明は、請求項５に記載のファン支持構造において、
前記覆い部は、前記ファンの下端部を支持する面に前記ファンの下端部と接触する弾性シート材を有する、
ことを特徴とする。
【００１２】
請求項７記載の発明は、請求項１ないし６のいずれか１項に記載のファン支持構造において、
前記ファン支持構造は、前記ルーバとの間隙が前記ワイヤーとの間隙よりも広くなるように前記装置本体に固定されている、
ことを特徴とする。
【００１３】
前記課題を解決するために、請求項８に記載の画像形成装置は、
請求項１ないし７のいずれか１項に記載のファン支持構造を備えた、
ことを特徴とする。
【発明の効果】
【００１４】
請求項１、８に記載の発明によれば、ワイヤーを覆う覆い部を備えていない構成に比べて、ファンをワイヤーに近づけて配置するときにワイヤーのファンへの巻き込みを防止することができる。
【００１５】
請求項２に記載の発明によれば、ファンを保持部へ容易に取り付けることができる。
【００１６】
請求項３、４に記載の発明によれば、通気孔を有しない構成に比べて、空気流通の圧損を抑制することができる。
【００１７】
請求項５に記載の発明によれば、ファンの保持体への取り付けに際し、高さ方向の位置決めをすることができる。
【００１８】
請求項６に記載の発明によれば、ファンが覆い部に接触した際の振動の伝達を抑制することができる。
【００１９】
請求項７に記載の発明によれば、装置本体の内部の空気を排気するときの騒音を抑制することができる。
【図面の簡単な説明】
【００２０】
【図１】画像形成装置の概略構成を示す断面模式図である。
【図２】制御部の背面側を示す斜視図である。
【図３】制御部に備えられるファン装置の配置の一例を示す斜視図である。
【図４】ファン支持部材を示す斜視図である。
【図５】（ａ）はファン支持部材に支持されたファン装置を示す斜視図、（ｂ）はファン支持部材へのファンの取り付けを説明する一部断面模式図である。
【図６】ファン装置と外装カバー及び電源装置の配置を説明するための断面模式図である。
【図７】覆い部の庇形状の例を示す断面模式図である。
【図８】変形例１に係るファン支持部材に支持されたファン装置を示す斜視図である。
【図９】変形例２に係るファン支持部材に支持されたファン装置を示す一部断面模式図である。
【図１０】変形例３にファン支持部材に支持されたファン装置を示す一部断面模式図である。
【図１１】ファン装置と外装カバー及び電源装置の間隔を説明するための断面模式図である。
【図１２】ファン装置と外装カバーとの間隙と騒音との関係を示す図である。
【発明を実施するための形態】
【００２１】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００２２】
（１）画像形成装置の全体構成及び動作
以下、本実施形態に係るファン支持構造は、各種装置に適用可能であるが画像形成装置１に適用した場合を一例として説明する。
図１は画像形成装置１の概略構成を示す断面模式図である。以下、図面を参照しながら、画像形成装置１の全体構成及び動作を説明する。
【００２３】
（１．１）画像形成装置の全体構成
画像形成装置１は、画像形成部１０と、画像形成部１０の一端に接続された給紙装置２０と、画像形成部１０の他の一端に接続され、印刷された用紙が排紙される排紙部３０と、操作表示部４０と、画像形成部１０の動作制御を行うシステム制御装置１１、画像データの生成を行う画像処理装置５５及び画像形成部１０への電力を供給する電源装置１８からなる制御部５０と、を備えて構成されている。
【００２４】
画像形成部１０は、露光装置１２、感光体ユニット１３、現像装置１４、転写装置１５、用紙搬送装置１６ａ、１６ｂ、１６ｃ、定着装置１７、を備えて構成され、制御部５０から受け取った画像データを給紙装置２０から送り込まれたシート材Ｐ上にトナー画像として形成する。
【００２５】
給紙装置２０は、画像形成部１０に対するシート材Ｐの供給を行う。すなわち、種類（例えば、材質や厚さ、サイズ、紙目）の異なるシート材Ｐを収容する複数の給紙トレイＴを備えており、これら複数の給紙トレイＴのいずれか一つから繰り出したシート材Ｐを画像形成部１０に対して供給するように構成されている。
【００２６】
排紙部３０は、画像形成部１０にて画像出力が行われたシート材Ｐの排出を行う。そのために、排紙部３０は、画像出力後のシート材Ｐが排出される排紙収容部を備えている。また、排紙部３０には、画像形成部１０から出力されるシート束に対して、裁断やステープル（針綴じ）等の後処理を行う機能を有した後処理装置が接続されてもよい。
【００２７】
操作表示部４０は、各種の設定や指示の入力及び情報表示に用いられるものである。すなわち、いわゆるユーザインタフェースに相当するもので、具体的には液晶表示パネル、各種操作ボタン、タッチパネル等を組み合わせて構成されている。
【００２８】
（１．２）画像形成部の構成及び動作
このような構成の画像形成装置１では、画像形成のタイミングに合わせて給紙装置２０のうち、印刷ジョブで印刷の１枚毎に指定された給紙トレイＴから繰り出されたシート材Ｐが画像形成部１０へ送り込まれる。
【００２９】
感光体ユニット１３は、露光装置１２の下方に、それぞれが並列して設けられ、回転駆動する感光体ドラム３１を備えている。感光体ドラム３１の回転方向にそって、帯電器３２、露光装置１２、現像装置１４、一次転写ローラ５２、クリーニングブレード３４が配置されている。
【００３０】
現像装置１４は、感光体ドラム３１に対向して配置された現像ローラ４２が配設され、それぞれの現像装置１４は、現像剤を除いて略同様に構成され、それぞれの現像ローラ４２で感光体ドラム上にイエロー（Ｙ）、マゼンタ（Ｍ）、シアン（Ｃ）、黒（Ｋ）のトナー像を形成する。
【００３１】
現像装置１４の上方には、現像剤を収容する交換可能なトナーカートリッジＴＮと、それぞれのトナーカートリッジＴＮから現像装置１４に現像剤Ｇを供給する現像剤供給装置４３が配置されている。
【００３２】
回転する感光体ドラム３１の表面は、帯電器３２により帯電され、露光装置１２から出射する潜像形成光により静電潜像が形成される。感光体ドラム３１上に形成された静電潜像は現像ローラ４２によりトナー像として現像される。
【００３３】
転写装置１５は、各感光体ユニット１３の感光体ドラム３１にて形成された各色トナー像が多重転写される無端部材としての中間転写ベルト５１、各感光体ユニット１３にて形成された各色トナー像を中間転写ベルト５１に順次転写（一次転写）する一次転写ローラ５２、中間転写ベルト５１上に重畳して転写された各色トナー像をシート材Ｐに一括転写（二次転写）する二次転写ベルト５３とから構成されている。
【００３４】
各感光体ユニット１３の感光体ドラム３１に形成された各色トナー像は、システム制御装置１１により制御される高圧電源（不図示）から所定の転写電圧が印加された一次転写ローラ５２により中間転写ベルト５１上に順次静電転写（一次転写）され、各色トナーが重畳された重畳トナー像が形成される。
【００３５】
中間転写ベルト５１上の重畳トナー像は、中間転写ベルト５１の移動に伴って二次転写ベルト５３が配置された二次転写部ＴＲに搬送される。重畳トナー像が二次転写部ＴＲに搬送されると、そのタイミングに合わせて給紙装置２０からシート材Ｐが二次転写部ＴＲに供給される。そして、二次転写ベルト５３を介して二次転写ローラ５４と対向するバックアップローラ６５には、システム制御装置１１により制御される電源装置等から所定の転写電圧が印加され、シート材Ｐに中間転写ベルト５１上の多重トナー像が一括転写される。
【００３６】
感光体ドラム３１表面の残留トナーは、クリーニングブレード３４により除去され、廃トナー収容部（不図示）に回収される。感光体ドラム３１の表面は、帯電器３２により再帯電される。
【００３７】
定着装置１７は一方向へ回転する無端状の定着ベルト１７ａと、定着ベルト１７ａの周面に接し、一方向へ回転する加圧ローラ１７ｂとを有し、定着ベルト１７ａと加圧ローラ１７ｂの圧接領域によってニップ部（定着領域）が形成される。
転写装置１５においてトナー像が転写されたシート材Ｐは、トナー像が未定着の状態で用紙搬送装置１６ａを経由して定着装置１７に搬送される。定着装置１７に搬送されたシート材Ｐは、一対の定着ベルト１７ａと加圧ローラ１７ｂにより、圧着と加熱の作用でトナー像が定着される。
【００３８】
定着の終了したシート材Ｐは、用紙搬送装置１６ｂを経由して排紙部３０に送り込まれる。
尚、シート材Ｐの両面に画像出力を行う場合には、用紙搬送装置１６ｃにより当該シート材Ｐの表裏が反転され、再び画像形成部１０における二次転写部ＴＲへ送り込まれる。そして、トナー像の転写および転写像の定着が行われた後に、排紙部３０に送り込まれることになる。
【００３９】
排紙部３０へ送り込まれたシート材Ｐは、冷却装置３６で冷却された後、画像読取装置３７で画質調整のためのテスト画像を読み取る。テスト画像の読取が行われたシート材Ｐは、排紙収容部（不図示）へ排出される。  
【００４０】
（２）ファン支持構造
図２は制御部５０の背面側を示す斜視図、図３は制御部５０に備えられるファン装置１００の配置の一例を示す斜視図、図４はファン支持部材１２０を示す斜視図、図５（ａ）はファン支持部材１２０に支持されたファン装置１００を示す斜視図、（ｂ）はファン支持部材１２０へのファン１１０の取り付けを説明する一部断面模式図、図６はファン装置１００と外装カバー２００及び電源装置１８の配置を説明するための断面模式図、図７は覆い部１２５の庇形状の例を示す断面模式図、図１１はファン装置１００と外装カバー２００及び電源装置１８の間隔を説明するための断面模式図、図１２はファン装置１００と外装カバー２００との間隙と騒音との関係を示す図である。
【００４１】
本実施形態に係る画像形成装置１の制御部５０は、筐体内に複数の電源装置１８を備え、図２に示すように、電源装置１８で発生する熱は背面側の外装カバー２００のルーバ部２１０を通して外部に排気されるようになっている（図２中  矢印参照）。
【００４２】
図３（ａ）、（ｂ）（図中  インペラーは省略して不図示）に示すように、制御部５０は複数の電源装置１８を備え、電源装置１８の一面に向かって近接して、ファン装置１００が配置されている。ファン装置１００は、ファン１１０とファン１１０を支持するファン支持構造の一例としてのファン支持部材１２０からなり、電源装置１８で発生する熱を空気と共に外装カバー２００のルーバ部２１０（図２  参照）を通して外部に排気する。
【００４３】
ファン装置１００は、図１１に示すように、ファン１１０の吸気側が電源装置１８に向かって近接し排気側がルーバ部２１０と間隔を有して向くように、電源装置１８が取り付けられているベース部１０１に取り付けられている。
【００４４】
ファン装置１００から排気される空気は、排出口となるルーバ部２１０と衝突して騒音が発生する。ルーバ部２１０で発生する騒音は、ファン１１０とルーバ部２１０との間隙によってその大きさが変化する。図１２に示すように、ファン１１０とルーバ部２１０との距離Ｌが離れるに従って、騒音は小さくなり、一定の距離Ｌ０で最小となる。そして、更に距離Ｌが離れると、騒音が大きくなる。
【００４５】
ファン１１０とルーバ部２１０との距離Ｌが離れるにつれて、排気される空気のルーバ部２１０への衝突エネルギーが小さくなることで、騒音が小さくなるものと推定される。一方、一定の距離Ｌ０で騒音が最小となり、更に距離Ｌが離れると、ファン１１０の吸気側が電源装置１８に接続されているワイヤーハーネス１８１近づくことで、吸気音が増大して、騒音が大きくなるものと推定される。
【００４６】
このように、ファン装置１００を排気口となる外装カバー２００のルーバ部２１０から一定の距離Ｌ０の間隙を設けて配置した場合、ファン装置１００の吸気側が電源装置１８に近づくことになり、ファン１１０が電源装置１８に電力を供給するワイヤーの一例としてのワイヤーハーネス１８１に接触して、ワイヤーハーネス１８１を巻き込む虞があった。
【００４７】
本実施形態に係るファン支持構造としてのファン支持部材１２０は、図４、図５（図５（ａ）において、インペラーは省略して不図示）に示すように、ファン１１０を保持するための保持部１２１と、ワイヤーハーネス１８１を覆う覆い部１２５とからなり、覆い部１２５は、保持部１２１の下端部近傍に、保持部１２１の底面部１２１ａから曲げ起こしてファン１１０の空気流通方向である吸気側に突出する庇形状に形成されている。
【００４８】
また、覆い部１２５は、ファン１１０の保持部１２１への取り付け位置（図５（ｂ）中  矢印参照）に干渉しない高さＨで形成されている。これにより、保持部１２１の底面部１２１ａから曲げ起こされた覆い部１２５の上面１２５ａはファン１１０の保持部１２１へのネジ固定による取り付け作業を阻害することがない。
【００４９】
このように構成されるファン支持部材１２０は、図６に示すように、ファン装置１００が電源装置１８に近接して配置された場合、電源装置１８に接続されたワイヤーハーネス１８１をファン１１０側から覆うことで、ワイヤーハーネス１８１のファン１１０への巻き込みを防止することができる。
【００５０】
覆い部１２５の庇形状は、図７に示すように、ファン１１０側からワイヤーハーネス１８１を上方及び側方から覆う形状であれば、種々の形状に形成することができる。
【００５１】
「変形例１」
図８は変形例１に係るファン支持部材１２０Ａに支持されたファン装置１００を示す斜視図である。ファン支持部材１２０Ａは、覆い部１２５に、ファン１１０の空気流通方向に貫通する通気孔１２５ｂが形成されている。通気孔１２５ｂは、図８に示すように、覆い部１２５の幅方向に亘ってスリット状に複数形成されている。
これにより、覆い部１２５が通気孔１２５ｂを有しない構成に比べて、ファン１１０による空気流通の圧損を抑制することができる。
【００５２】
「変形例２」
図９は変形例２に係るファン支持部材１２０Ｂに支持されたファン装置１００を示す一部断面模式図である。ファン支持部材１２０Ｂは、覆い部１２５が、ファン１１０を保持部１２１にネジ固定で取り付ける際の高さ方向における位置を位置決めしてファン１１０の下端部１１０ａを支持する高さＨ１に形成されている。
これにより、ファン１１０の保持部１２１への取り付けに際し、高さ方向の位置決めをしてファン１１０の保持部１２１への取り付けを容易に行うことができる。
【００５３】
「変形例３」
図１０に変形例３にファン支持部材１２０Ｃに支持されたファン装置１００を示す一部断面模式図である。ファン支持部材１２０Ｃは、覆い部１２５が、ファン１１０の下端部１１０ａを支持する面にファン１１０の下端部１１０ａと接触する弾性シート材１２６を有している。
弾性シート材１２６の材質としては、振動を吸収できるものであれば、特に限定されないが、ゴム製シート材、発泡ウレタンシート材などが好ましい。
これにより、ファン１１０が覆い部１２５に接触した際の振動の伝達を抑制することができる。
【００５４】
このように構成されるファン装置１００は、電源装置１８と外装カバー２００のルーバ部２１０との間で、ルーバ部２１０との間隙がワイヤーハーネス１８１との間隙よりも広くなるように装置本体に固定されている。これにより、ファン１１０がワイヤーハーネス１８１に近接しても覆い部１２５でワイヤーハーネス１８１の外面を覆うことでワイヤーハーネス１８１の巻き込みを防止しながら、装置本体の内部の空気をルーバ部２１０を介して排気するときの騒音を抑制することができる。
【符号の説明】
【００５５】
１・・・画像形成装置
１００・・・ファン装置
１１０・・・ファン
１２０、１２０Ａ、１２０Ｂ、１２０Ｃ・・・ファン支持部材
１２１・・・ファン保持部
１２５・・・覆い部
１２５ａ・・・通気孔
１２６・・・弾性体シート
１３０・・・
２００・・・外装カバー
２１０・・・ルーバ部
【図１】
2019040016.tif 000003
【図２】
2019040016.tif 000004
【図３】
2019040016.tif 000005
【図４】
2019040016.tif 000006
【図５】
2019040016.tif 000007
【図６】
2019040016.tif 000008
【図７】
2019040016.tif 000009
【図８】
2019040016.tif 000010
【図９】
2019040016.tif 000011
【図１０】
2019040016.tif 000012
【図１１】
2019040016.tif 000013
【図１２】
2019040016.tif 000014